(57)【特許請求の範囲】
【請求項１】
局内端末から光線路を介して分岐した複数の分岐端側に光加入者端末が接続されて成る光通信システムの前記複数の光線路を各光線路毎に監視する光線路監視システムであって、前記光線路の各分岐端と各光加入者端末との間に光リフレクタが介設されており、前記光リフレクタは、基幹光導波路と、この基幹光導波路から分岐した分岐光導波路とを形成し、該分岐光導波路と基幹光導波路との分岐点には基幹光導波路に入射する入射光のうちの通信光を透過し、該入射光のうちの通信光とは異なる波長をもった監視光を前記分岐光導波路側に反射し、さらに、該分岐光導波路からの戻り光を反射して前記基幹光導波路の入射側に逆行させる通信光透過フィルタが設けられており、前記分岐光導波路には光反射体が設けられ、該光反射体と前記通信光透過フィルタとの間には前記監視光の波長帯のうちの予め定められた設定波長の監視光を透過して前記光反射体側に導き、該光反射体で反射した反射光を透過して前記通信光透過フィルタ側に導く設定監視光透過フィルタが設けられ、前記設定監視光透過フィルタの設定透過光波長は該各光加入者端末毎に異なることを特徴とする光リフレクタを用いた光線路監視システム。
【請求項２】
設定監視光透過フィルタは設定波長とは異なる波長の監視光を分岐光導波路から外れる方向に反射させる波長選択反射フィルタとしたことを特徴とする請求項１記載の光リフレクタを用いた光線路監視システム。
【発明の詳細な説明】
【０００１】
【発明の属する技術分野】
本発明は、例えば電話通信等の光加入者系の光ファイバ通信システムの光線路監視用に用いられる光リフレクタを用いた光線路監視システムに関するものである。
【０００２】
【従来の技術】
光ファイバ等の光線路を用いて、電話通信等の光加入者系の光通信が行われている。このような光加入者系の光通信システムにおいて、従来は、幹線系のみを光ファイバを備えたケーブルにより接続することが行われていたが、近年、光ファイバ等の光伝送路網の敷設が盛んに行われ、幹線系のみならず、電話局と各加入者宅（電話通信加入者）とを光線路（光ファイバ線路）で接続する、いわゆる光化が進められている。
【０００３】
この光加入者系の光伝送路網の形態としては、例えば図５に示すようなパッシブダブルスター（ＰＤＳ）方式が検討されている。この方式は、同図に示すように、局１８内の局内端末に接続されている光ケーブル１９に１×Ｎスターカプラ２０（Ｎは２以上の整数）を接続し、複数の光線路としての光ファイバ線路１６にスター状に分岐し、この光ファイバ線路１６を介して分岐した複数の分岐端側に加入者宅２１内の光加入者端末を接続して形成されている。
【０００４】
ところで、光加入者系の光通信システムを運用していく上で、光ファイバ線路１６の障害を監視し、その障害に対する対処を施すことが必要となる。光ファイバ線路１６の監視方法としては、例えば図６に示されるような光線路監視システムが提案されている。
【０００５】
この光線路監視システムは、同図に示すように、局１８内の光送信器２２から発信される波長λ０  の通信光（信号光）を光加入者宅内の光受信器９に伝送する光ファイバ線路１６の途中に、波長平坦カプラ２４を備えた光分岐モジュール２３を介設し、波長平坦カプラ２４によって光ファイバ線路１６から分岐された光ファイバ２６に、波長λｔ  の監視光を発信するＯＴＤＲ（Ｏｐｔｉｃａｌ  Ｔｉｍｅ  Ｄｏｍａｉｎ  Ｒｅｆｌｅｃｔｍｅｔｅｒ）５を接続して形成されている。この監視光の波長λｔ  は例えば１．５５μｍ帯であり、前記通信光の波長λ０  は例えば１．３１μｍであり、このように、この光線路監視システムにおいては監視光の波長λｔ  が通信光波長λ０  よりも大きく（λ０  ＜λｔ）なるようにしている。
【０００６】
また、同図に示すシステムにおいては、前記光分岐モジュール２３の通信光入射側、すなわち、光送信器２２の接続側には短波長透過フィルタ１３ｂが設けられており、光ファイバ線路１６の出射端側（光受信器９との接続側）には短波長透過フィルタ１３ａが設けられている。これらの短波長透過フィルタ１３ａ，１３ｂは、それぞれ、波長λ０  の通信光を透過し、波長λｔ  の監視光を反射する機能を有している。一方、光ファイバ２６には長波長透過フィルタ２５が設けられており、この長波長透過フィルタ２５は、波長λｔ  の監視光を透過し、波長λ０  の監視光は反射する機能を有している。
【０００７】
この光線路監視システムにおいては、同図に示すように、光送信器２２から発信される波長λ０  の通信光は、光ファイバ線路１６を介して光分岐モジュール２３に入射し、短波長透過フィルタ１３ｂを透過して光ファイバ線路１６の出射端側に伝送され、短波長透過フィルタ１３ａを透過して光受信器９に受信される。一方、ＯＴＤＲ５から発信される波長λｔ  の監視光は、長波長透過フィルタ２５を透過して、光ファイバ２６から光分岐モジュール２３の波長平坦カプラ２４に入射し、光ファイバ線路１６を通って光受信器９側に伝送される。そして、短波長透過フィルタ１３ａで反射して光ファイバ線路１６を逆行し、波長平坦カプラ２４、光ファイバ２６を介してＯＴＤＲ５側に戻る。
【０００８】
なお、短波長透過フィルタ１３ａで反射して光ファイバ線路１６を逆行する波長λｔ  の監視光は、波長平坦カプラ２４を介して光送信器２２側にも一部伝送されるが、この波長λｔ  の監視光は短波長透過フィルタ１３ｂで反射されるために、光送信器２２に入射することはなく、光送信器２２に悪影響が及ばないようになっている。
【０００９】
そして、ＯＴＤＲ５は、波長λｔ  の監視光を発信してからその反射光が戻ってくるまでの時間と光の減衰量等から、短波長透過フィルタ１３ａの位置と短波長透過フィルタ１３ａによる監視光反射量とを検出する。なお、光ファイバ線路１６が正常な場合に、ＯＴＤＲ５によって予め、監視光反射量のデータをとっておき、このデータと、光ファイバ線路１６の監視時に検出される監視光反射量とを比較することにより、光ファイバ線路１６の異常の有無を判定することができる。
【００１０】
【発明が解決しようとする課題】
しかしながら、図６に示したような光線路監視システムにおいては、局１８内に設けられた光送信器２２と１つの加入者宅２１内に設けられた光受信器９とを接続する光ファイバ線路１６の監視には適しているものの、図５に示したように、局１８内の局内端末と複数の加入者宅２１内の加入者端末とを接続する前記ＰＤＳ方式の光通信システムに適用した場合には、複数の光ファイバ線路１６からの監視光反射情報を各光ファイバ線路１６毎に区別することができないために、各光ファイバ線路１６毎の監視を行うことができないといった問題があった。
【００１１】
そこで、各光ファイバ線路１６毎に光ファイバ線路１６の監視を行うための光線路監視システムとして、例えば特表平４−５０２２１０号公報には、異なる光ファイバ線路１６毎に異なる波長の光を反射する反射器を用いて、光ファイバ線路１６等の分岐ポートを区別するシステムが提案されている。しかしながら、この提案のシステムには前記反射器の構成は全く示されてなく、この提案のシステムが実際に実現され得るかどうかは甚だ疑問であった。
【００１２】
本発明は上記課題を解決するためになされたものであり、その目的は、ＰＤＳ方式のように、光ファイバ線路等の光線路を介して複数の分岐端側に光加入者端末が接続されて成る光通信システムの、各光線路毎の障害情報を検知可能とする、光リフレクタを用いた光線路監視システムを提供することにある。
【００１３】
【課題を解決するための手段】
上記目的を達成するために、本発明は次のような構成により課題を解決するための手段としている。すなわち、本発明は、局内端末から光線路を介して分岐した複数の分岐端側に光加入者端末が接続されて成る光通信システムの前記複数の光線路を各光線路毎に監視する光線路監視システムであって、前記光線路の各分岐端と各光加入者端末との間に光リフレクタが介設されており、前記光リフレクタは、基幹光導波路と、この基幹光導波路から分岐した分岐光導波路とを形成し、該分岐光導波路と基幹光導波路との分岐点には基幹光導波路に入射する入射光のうちの通信光を透過し、該入射光のうちの通信光とは異なる波長をもった監視光を前記分岐光導波路側に反射し、さらに、該分岐光導波路からの戻り光を反射して前記基幹光導波路の入射側に逆行させる通信光透過フィルタが設けられており、前記分岐光導波路には光反射体が設けられ、該光反射体と前記通信光透過フィルタとの間には前記監視光の波長帯のうちの予め定められた設定波長の監視光を透過して前記光反射体側に導き、該光反射体で反射した反射光を透過して前記通信光透過フィルタ側に導く設定監視光透過フィルタが設けられ、前記設定監視光透過フィルタの設定透過光波長は該各光加入者端末毎に異なることを特徴として構成されている。
【００１４】
また、前記設定監視光透過フィルタは設定波長とは異なる波長の監視光を分岐光導波路から外れる方向に反射させる波長選択反射フィルタとしたことも、本発明の特徴的な構成とされている。
【００１６】
上記構成の本発明において、基幹光導波路と、この基幹光導波路から分岐した分岐光導波路との分岐点には、通信光透過フィルタが設けられているために、通信光はこの通信光透過フィルタを透過して基幹光導波路の出射端側に進み、一方、通信光と異なる波長をもった監視光は分岐光導波路側に反射する。そして、この監視光の波長帯のうちの予め定められた設定波長の監視光のみが、分岐光導波路に設けられた設定監視光透過フィルタを透過し、分岐光導波路に設けられた光反射体側に導かれる。この設定波長の監視光は、光反射体で反射して前記設定監視光透過フィルタを透過し、前記通信光透過フィルタ側に導かれ、通信光透過フィルタで反射して前記基幹光導波路の入射側に逆行する。
【００１７】
このように、本発明においては、基幹光導波路に入射した通信光と、通信光とは異なる波長をもった監視光のうち、通信光が基幹光導波路の出射側に伝搬することで、例えば基幹光導波路の入射側に接続された局内端末と基幹光導波路の出射側に接続された光加入者端末との間で光通信が行われ、一方、前記監視光が分岐光導波路に入射し、監視光の波長帯のうちの予め設定された設定波長の監視光のみが分岐光導波路で反射して基幹光導波路の入射側に戻ることにより、この設定波長の監視光を用いた光線路の監視が行われる。
【００１８】
そして、この光リフレクタを局内端末から分岐された複数の光線路の各分岐端と各光加入者端末との間に介設し、各光加入者端末毎に前記設定監視光透過フィルタの設定透過光波長（前記設定波長）を異にしていることにより、各光加入者端末毎に接続されている各光線路毎に波長の異なる監視光が局内端末側に戻され、局内端末側でこの各監視光を受信し、解析することにより、異常のある光線路の特定ができるために、各光線路毎の障害情報を検出することが可能となり、上記課題が解決される。
【００１９】
【発明の実施の形態】
以下、本発明の実施の形態を図面に基づいて説明する。なお、本実施形態例の説明において、従来例と同一名称部分には同一符号を付し、その重複説明は省略する。図１には、本発明に係る光リフレクタを用いた光線路監視シムテムの一実施形態例の要部構成が示されている。同図において、局１８の局内端末に接続される光ケーブル１９から、１×８スターカプラ４および光ファイバ線路１６を介して分岐した複数（図では８個）の分岐端側に、それぞれ、各光リフレクタ３ａ〜３ｈを介して各光加入者端末内の光受信器９が接続されて、パッシブダブルスター（ＰＤＳ）方式の光通信システムが形成されている。
【００２０】
局１８内には、図２に示すような監視装置１７が設けられており、監視装置１７は、光合分波器としてのＷＤＭ（Ｗａｖｅｌｅｎｇｔｈ  Ｄｉｖｉｓｉｏｎ  Ｍｕｌｔｉｐｌｅｘ  ）カプラ１２を介して、各光ケーブル１９Ａ，１９Ｂ，・・・と接続されるようになっている。この監視装置１７は、ＯＴＤＲ５、波長可変光源６、光ディテクタ７、３ｄＢカプラ１０、心線選択装置１１を有して構成されている。
【００２１】
心線選択装置１１は、複数の光ケーブル１９Ａ，１９Ｂ，・・・のうちの１つの光ケーブル１９を選択するものである。この選択は、監視対象の光ファイバ線路１６ａ〜１６ｈに対応させて行われるものであり、選択された光ケーブル１９には、ＷＤＭカプラ１２を介して、波長可変光源６又はＯＴＤＲ５からの監視光と、伝送装置からの通信光（信号光）とが共に入射されるようになっている。
【００２２】
波長可変光源６は１．５５μｍ（１５５０ｎｍ）帯の監視光を発信する光源であり、発信する監視光の波長を１４９０，１５００，１５１０，１５２０，１５３０，１５４０，１５５０，１５６０ｎｍの、１０ｎｍ間隔の８種類の波長のいずれかに可変できるようになっており、波長可変光源６は、光線路監視時に、この８種類の光のうちのいずれかを選択的に発信する。
【００２３】
３ｄＢカプラ１０は、例えばＹ分岐光導波路を有しており、波長可変光源６から発信した監視光を心線選択装置１１側に入射させると共に、この監視光がＷＤＭカプラ１２を介して、光ケーブル１９、１×８スターカプラ４、光ファイバ線路１６ａ〜１６ｈに順に入射して、その後、光リフレクタ３で反射し、光ファイバ線路１６等を逆行して心線選択装置１１に戻ってきたときに、この戻り光を光ディテクタ７に入射させる働きをする。
【００２４】
光ディテクタ７はこの戻り光を受信して検波するものである。光ディテクタ７には光ファイバ線路１６が正常のときの戻り光の損失データが予め与えられており、この与えられているデータと、光ファイバ線路監視時のデータとを比較することにより、光ファイバ線路１６の異常の有無を判断する。
【００２５】
ＯＴＤＲ５は、前記のように、光ファイバ線路１６等の光線路の異常の有無を検出する機能の他に、光ファイバ線路１６の長手方向の光伝搬損失分布を検出する機能を有している。この機能は、ＯＴＤＲ５から発信した監視光が光ファイバ線路１６を伝搬するときに、後方散乱光が生じ、その後方散乱光がＯＴＤＲ５側に戻ってくることを利用する機能であり、この後方散乱光を常時観測することにより、光ファイバ線路１６の長手方向の光伝搬損失分布を、例えば光強度分布（損失が大きいときには強度は小さくなる）によって測定する。
【００２６】
そして、光ファイバ線路１６に異常があったときには、光強度が急激に低下して光強度分布が大きく変化するために、光強度分布の急激な変化が生じたところを光ファイバ線路１６の異常箇所と特定することができる。なお、本実施形態例でも、ＯＴＤＲ５は波長１５５０ｎｍ帯の観測光を発信するようになっている。
【００２７】
図１，３に示すように、光リフレクタ３（３ａ〜３ｈ）は、基幹光導波路１と、この基幹光導波路１から分岐した分岐光導波路８とを形成して成る光導波路回路パターンを有する導波路チップを備えており、この導波路チップは、例えば基板上に、火炎堆積法、ＣＶＤ法、スパッタ法等によって回路パターンを形成するコア部と、このコア部を覆うクラッド部を形成して構成されている。
【００２８】
図３に示すように、基幹光導波路１と分岐光導波路８との分岐点としての分岐部２には、例えば波長１４００ｎｍ以下の光を透過し、かつ、波長１４００ｎｍを越える光を反射する短波長透過フィルタ１３が、基幹光導波路１と分岐光導波路８に対してそれぞれａ°（ａ＝８２）傾けて設けられている。この短波長透過フィルタ１３は、基幹光導波路１に入射する入射光のうちの通信光を透過し、入射光のうちの通信光とは異なる波長をもった監視光を分岐光導波路８側に反射し、さらに、分岐光導波路８からの戻り光を反射して基幹光導波路１の入射端２８側に逆行させる通信光透過フィルタとして機能するものである。
【００２９】
分岐光導波路８の先端側には、光反射体としての全反射ミラー１５が設けられており、この全反射ミラー１５と短波長透過フィルタ１３との間にはバンドパスフィルタ（Ｂａｎｄｐａｓｓ  Ｆｉｌｔｅｒ  ；ＢＰＦ）１４が、分岐光導波路８を横切る方向に設けられている。このバンドパスフィルタ１４の分岐光導波路８に対する交差角ｂは、例えば８６°に形成されており、前記全反射ミラー１５の分岐光導波路８に対する交差角は９０°に設定されている。バンドパスフィルタ１４は、前記監視光の波長１５５０ｎｍ帯のうちの予め定められた設定波長の監視光を透過して全反射ミラー１５側に導き、かつ、全反射ミラー１５で反射した反射光を透過して前記短波長透過フィルタ１３側に導く設定監視光透過フィルタとして機能するものである。また、本実施形態例では、バンドパスフィルタ１４は、前記設定波長とは異なる波長の監視光を分岐光導波路８から外れる方向に反射させる波長選択反射フィルタと成している。
【００３０】
バンドパスフィルタ１４の設定透過光波長は、各光リフレクタ３ａ〜３ｈの各バンドパスフィルタ１４ａ〜１４ｈ毎に異なる波長に設定されており、本実施形態例では、このように、バンドパスフィルタ１４ａ〜１４ｈの設定透過光波長を異にすることにより、各光リフレクタ３ａ〜３ｈ毎に異なる波長の監視光を各基幹光導波路１の入射側に反射して、光ファイバ線路１６ａ〜１６ｈのいずれかを介して局１８側に戻すように構成されている。
【００３１】
なお、本実施形態例では、図３の鎖線に示すように、光リフレクタの基幹光導波路１の入射端２８側および出射端２９側にそれぞれ、ファイバブロック３０が設けられて、ファイバブロック３０に固定した光ファイバと基幹光導波路１とが接続されるようになっている。そして、光リフレクタ３の導波路チップおよびファイバブロック３０を一体化して金属ケース等の保護匡体（図示せず）内に収容し、モジュール化しており、このようにすることで、光リフレクタ３の光ファイバ線路１６および光受信器９との接続を容易にし、かつ、外部からの水分の浸入を防ぎ、機械的強度を向上させている。
【００３２】
本実施形態例の光リフレクタ３を用いた光線路監視システムは以上のように構成されており、次に、その動作について図１，２に基づいて説明する。まず、光線路監視時に、監視対象の光ファイバ線路１６ａ〜１６ｈに対応させて、この光ファイバ線路１６ａ〜１６ｈが接続されている光ファイバケーブル１９（例えば１９Ａ）が監視装置１７内の心線選択装置１１によって選択される。そうすると、監視装置１７内の波長可変光源６から発信される１５５０ｎｍ帯の監視光（波長１４９０，１５００，・・・１５５０ｎｍのうちのいずれかの光）と伝送装置からの１３１０ｎｍの通信光とがＷＤＭカプラ１２で合波され、光ケーブル１９Ａを通って１×８スターカプラ４に入射する。この通信光および監視光は、１×８スターカプラ４によって分岐されて、光ファイバ線路１６ａ〜１６ｈに入射し、各光ファイバ線路１６ａ〜１６ｈを通ってそれぞれ光リフレクタ３ａ〜３ｈに入射する。
【００３３】
そして、通信光および監視光は共に各光リフレクタ３ａ〜３ｈの基幹光導波路１を通って、分岐部２に設けられた短波長透過フィルタ１３に入射し、波長１３１０ｎｍの通信光は短波長透過フィルタ１３を透過して基幹光導波路１の出射端２９側に進み、光受信器９側に導かれる。一方、前記波長１５５０ｎｍ帯の監視光は、短波長透過フィルタ１３で反射して分岐光導波路８に入射する。そして、監視光は各光リフレクタ３ａ〜３ｈの各分岐光導波路８をその先端側に向かって伝搬し、各バンドパスフィルタ１４ａ〜１４ｈに入射する。
【００３４】
例えば、波長１４９０ｎｍの監視光が前記波長可変光源６から発信されたとする。そうすると、光リフレクタ３ａにおいては、例えば、図４に示すような特性を有するバンドパスフィルタ１４ａによって設定波長としての１４９０ｎｍが設定されているために、この監視光はバンドパスフィルタ１４ａを透過して分岐光導波路８の先端側に進む。そして、この波長１４９０ｎｍの監視光は、分岐光導波路８を伝搬して全反射ミラー１５に入射し、全反射ミラー１５で反射して分岐光導波路８を逆行し、バンドパスフィルタ１４ａを介して短波長透過フィルタ１３に入射する。そして、この監視光は、短波長透過フィルタ１３で反射して基幹光導波路１に入射し、基幹光導波路１を逆行して、その入射端２８側に伝搬する。
【００３５】
そのため、波長１４９０ｎｍの監視光は、光リフレクタ３ａの基幹光導波路１の入射端２８側に戻され、光ファイバ線路１６ａを逆行し、１×８スターカプラ４、光ケーブル１９Ａを介して局１８内に戻ることになる。そして、局１８内の監視装置１７に設けられている光ディテクタ７によって検波され、この検波によって光ファイバ線路１６ａの異常が有無が検出される。
【００３６】
なお、光リブレクタ３ａのバンドパスフィルタ１４ａは、図１に示すように、波長１４９０ｎｍ以外の１５００〜１５６０ｎｍの監視光を分岐光導波路８から外れる方向に反射するために、１４９０ｎｍ以外の波長の監視光が光リフレクタ３ａに入射したときには、その監視光は分岐光導波路８から外れる方向に反射し、基幹光導波路１側に戻ることはない。
【００３７】
また、光リフレクタ３ｂに入射した波長１５５０ｎｍ帯の監視光は、前記のように、短波長透過フィルタ１３で反射して分岐光導波路８に入射し、バンドパスフィルタ１４ｂに入射するが、この監視光のうち、設定波長としての１５００ｎｍの光のみがバンドパスフィルタ１４ｂを透過して分岐光導波路８の先端側に進み、それ以外の、１４９０ｎｍおよび、１５１０〜１５６０ｎｍの監視光は分岐光導波路８から外れる方向に反射する。そのため、前記波長１４９０ｎｍの監視光が光リフレクタ３ｂに入射しても、この監視光はバンドパスフィルタ１４ｂで分岐光導波路８から外れる方向に反射し、監視装置１７側に戻ることはない。
【００３８】
そして、監視装置１７側から波長１５００ｎｍの監視光が発信されたときには、この監視光がバンドパスフィルタ１４ｂを透過し、この波長１５００ｎｍの監視光は、光リフレクタ３ａにおける波長１４９０ｎｍの監視光の動作と同様に、全反射ミラー１５で反射して分岐光導波路８を逆行し、短波長透過フィルタ１３で基幹光導波路１側に反射した後、基幹光導波路１の入射端２８側に戻る。そして、光ファイバ線路１６ｂを通り、１×８スターカプラ４、光ケーブル１９Ａを介して局１８内の監視装置１７に戻る。
【００３９】
さらに、各光リフレクタ３ｃ〜３ｈにおいても、同様に、各光リフレクタタ３ｃ〜３ｈのバンドパスフィルタ１４ｃ〜１４ｈに入射した光のうち、それぞれ、設定波長としての、１５１０，１５２０，１５３０，１５４０，１５５０，１５６０ｎｍの光のみが各バンドパスフィルタ１４ｃ〜１４ｈを透過した後、全反射ミラー１５で反射して分岐光導波路８を逆行し、それ以外の波長の光は分岐光導波路８から外れ、それにより、前記設定波長の監視光のみが基幹光導波路１の入射端２８側に戻る。そして、各設定波長の監視光のみが各光ファイバ線路１６ｃ〜１６ｈをそれぞれ通り、局１８側の監視装置１７に戻っていく。
【００４０】
本実施形態例によれば、上記のように、光リフレクタ３（３ａ〜３ｈ）を、基幹光導波路１から分岐した分岐光導波路８に、監視光の波長帯のうちの設定波長の監視光を透過し、この設定波長とは異なる波長の監視光を分岐光導波路８から外れる方向に反射させるバンドパスフィルタ１４（１４ａ〜１４ｈ）を設け、このバンドパスフィルタ１４（１４ａ〜１４ｈ）によって透過した設定波長の監視光のみを全反射ミラー１５で反射して局１８側の監視装置１７に戻すように構成したために、前記監視光の波長帯のうちのどのような波長の光が光リフレクタ３に入射しても、その光のうちの設定波長の監視光のみを局１８側の監視装置１７に戻すことができる。
【００４１】
そして、本実施形態例の光線路監視システムによれば、この光リフレクタ３（ａ〜３ｈ）を、局１８から分岐した各光ファイバ線路１６ａ〜１６ｈ毎にその分岐端側にそれぞれ設け、各光リフレクタ３ａ〜３ｈの各バンドパスフィルタ１４ａ〜１４ｈの透過光波長を異なる波長に設定することにより、各光ファイバ線路１６ａ〜１６ｈ毎に異なる波長の監視光を局１８側の監視装置１７に戻すことが可能となり、その戻り光情報を利用して、どの光ファイバ線路１６に異常があるか否かを特定することができる。そして、光ファイバ線路１６の長手方向の光伝搬損失情報をＯＴＤＲ５によって検出することにより、光ファイバ線路１６の長手方向の障害情報を検出することが可能となり、それにより、どの光ファイバ線路のどの箇所に異常が生じたかを正確に検知することができる。
【００４２】
なお、本発明は上記実施形態例に限定されることはなく、様々な実施の態様を採り得る。例えば、上記実施形態例では、１つの光ケーブル１９Ａを伝送する光を１×８スターカプラ４および光ファイバ線路１６ａ〜１６ｈを用いて８個に分岐する光通信システムの監視システムとしたが、この分岐数は必ずしも８分岐とするとは限らず、例えば４分岐でも１６分岐あるいはそれ以外の分岐数でも構わない。
【００４３】
また、上記実施形態例では、通信光として波長１３１０ｎｍの光を用い、監視光として波長１５５０ｎｍ帯の光を用いたが、通信光および監視光の波長は特に限定されるものではない。例えば、通信光として、波長１３１０ｎｍおよび波長１５５０ｎｍの光を用い、監視光として波長１６５０ｎｍ帯の光を用いても構わない。なお、このように、波長１６５０ｎｍ帯の光を監視光として用いるときには、この帯域の波長を４分岐、８分岐等の分岐数Ｎに合わせてＮ分割し、この分割した各波長に対応させて、各光リフレクタ３によって反射する光の設定波長を設定し、各設定波長の監視光のみを透過するバンドパスフィルタ１４等の設定監視光透過フィルタを各光リフレクタ３に配設すればよい。
【００４４】
さらに、上記実施形態例では、各光リフレクタ３にバンドパスフィルタ１４を設け、このバンドパスフィルタ１４により、監視光の波長のうちの設定波長の監視光を透過し、設定波長とは異なる波長の監視光を分岐光導波路８から外れる方向に反射するようにしたが、バンドパスフィルタ１４の代わりに、例えば、前記設定波長の監視光のみを透過し、設定波長とは異なる波長の監視光を吸収するフィルタを設けても構わない。
【００４５】
さらに、光リフレクタ３を形成するときに、短波長透過フィルタ１３の基幹光導波路１および分岐光導波路８に対する角度や、バンドパスフィルタ１４、全反射ミラー１５の分岐光導波路８に対する角度は必ずしも図３に示したａ〜ｃの角度に形成するとは限らず、適宜設定されるものである。
【００４６】
さらに、上記実施形態例では、光リフレクタ３を形成する光導波路部品の両端側にファイバブロック３０を設けて、このファイバブロック３０および光導波路部品を共通の保護匡体内に収容してモジュール化したが、光リフレクタ３は必ずしもモジュール化するとは限らない。ただし、上記実施形態例のようにモジュール化することにより、取り扱いが容易となり、光監視システムへの適用を行い易くすることができる。
【００４７】
【発明の効果】
本発明によれば、光リフレクタを基幹光導波路と、この基幹光導波路から分岐部を介して分岐した分岐光導波路とを設けて構成し、基幹光導波路に入射した入射光のうちの、通信光とは異なる波長帯を有する監視光を、前記分岐部に設けた通信光透過フィルタで反射して分岐光導波路に入射させ、分岐光導波路に設けた設定監視光透過フィルタにより、監視光の波長帯のうちの設定波長の光のみを透過した後、光反射体で反射して基幹光導波路の入射側に戻すように構成したものであるから、この光リフレクタに、監視光の波長帯のうちのいかなる光が入射しても、そのうちの設定波長の監視光のみを反射して基幹光導波路の入射側に戻すことができる。
【００４８】
そのため、この光リフレクタを、局内端末から光線路を介して分岐した複数の分岐端側に光加入者端末が接続されて成る光通信システムの、複数の光線路の各分岐端と各光加入者端末との間に介設し、各光加入者端末毎に設定監視光透過フィルタの設定透過光波長（前記設定波長）を異なる波長とすれば、各光線路毎に特定の設定波長の光を局側に反射して戻すことが可能となり、その反射光を利用して、光線路の障害情報を各光線路毎に検出することができる。
【００４９】
また、光リフレクタを構成するときに、前記設定監視光透過フィルタは設定波長とは異なる波長の監視光を分岐光導波路から外れる方向に反射させる波長選択反射フィルタとした本発明によれば、波長選択反射フィルタとして機能する設定監視光透過フィルタによって、設定波長とは異なる波長の監視光を分岐光導波路から外れる方向に反射させることにより、設定波長以外の波長の監視光が基幹光導波路の入射側に戻ることをより一層確実に防止することが可能となり、設定波長の監視光のみを確実に基幹光導波路の入射側に戻して、例えば光ファイバ線路等の光線路を通して局側の監視装置に戻すことができる。
【図面の簡単な説明】
【図１】本発明に係る光リフレクタを用いた線路監視システムの一実施形態例を示す構成図である。
【図２】上記実施形態例の光線路監視システムを示すブロック構成図である。
【図３】上記実施形態例の光線路監視システムに組み込まれる光リフレクタを詳細に示す構成図である。
【図４】上記実施形態例の光線路監視システムの光リフレクタに使用するバンドパスフィルタの一例を示す特性図である。
【図５】光加入者系のパッシブダブルスター方式の光通信システムを示す説明図である。
【図６】従来のＯＴＤＲを用いた光線路監視システムの一例を示す説明図である。
【符号の説明】
１  基幹光導波路
２  分岐部
３，３ａ，３ａ〜３ｈ  光リフレクタ
６  波長可変光源
８  分岐光導波路
１３  短波長透過フィルタ
１４，１４ａ〜１４ｈ  バンドパスフィルタ
１５  全反射ミラー
１６，１６ａ〜１６ｈ  光ファイバ線路
【図１】
0003580622.tif 000002
【図２】
0003580622.tif 000003
【図３】
0003580622.tif 000004
【図５】
0003580622.tif 000005
【図６】
0003580622.tif 000006
【図４】
0003580622.tif 000007